(57)【特許請求の範囲】
【請求項１】
一対のほぼ四角枠状をなす脚部の両側部を各々ジョイント体を介装して連結部材で回動可能に連結するとともに、前記ジョイント体には一対の脚部が開脚した状態を保持する第１保持手段と、閉脚した状態を保持する第２保持手段とを備えた支持スタンドと、
有底箱状をなす容器本体よりなり、その少なくとも一対の相対向する側壁に、開脚した状態の脚部の下端部を上方から係合可能な係合凹部を備え、その係合凹部に一対の脚部の下端部が係合することにより前記支持スタンドを容器本体上に支持可能に構成した収容容器と
よりなる支持スタンドを備えた収容容器。
【請求項２】
一対のほぼ四角枠状をなす脚部の両側部を各々ジョイント体を介装して連結部材で回動可能に連結するとともに、前記ジョイント体には一対の脚部が開脚した状態を保持する第１保持手段と、閉脚した状態を保持する第２保持手段とを備えた支持スタンドと、
有底箱状をなす容器本体よりなり、その少なくとも一対の相対向する側壁に、開脚した状態の脚部の上端部を下方から係止可能な係止凹部を備え、その係止凹部に一対の脚部が係止することにより容器本体を支持スタンド上に支持可能に構成した収容容器と
よりなる支持スタンドを備えた収容容器。
【請求項３】
前記容器本体の少なくとも一対の相対向する側壁に、開脚した状態の脚部の上端部を下方から係止可能な係止凹部を備え、その係止凹部に一対の脚部が係止することにより容器本体を支持スタンド上に支持可能に構成した請求項１に記載の支持スタンドを備えた収容容器。
【発明の詳細な説明】
【０００１】
【発明の属する技術分野】
この発明は、例えばゴミ等の被収容物を収容する支持スタンドを備えた収容容器に関するものである。
【０００２】
【従来の技術】
近年、収容容器として、例えば、路上や公園に設置されるゴミ箱は、紙等の燃えるゴミと、空き缶等の燃えないゴミとを分別して収容できるように構成されている。そのゴミ箱は、合成樹脂材料により上面を開口した有底箱状をなす容器本体により構成され、その内部に仕切り板が立設されている。そして、この仕切り板により容器本体内部が横方向へ並ぶ収容空間に区画形成され、一方の収容空間に燃えるゴミを収容し、他方の収容空間に燃えないゴミを収容して両者を分別している。
【０００３】
また、２つの容器本体を並べて設置し、一方の容器本体に燃えるゴミを収容し、他方の容器本体に燃えないゴミを収容して、両者を分別している。
【０００４】
【発明が解決しようとする課題】
ところが、燃えるゴミと燃えないゴミを分別するために、容器本体内を横方向へ並ぶ収容空間に区画している。そのため、ゴミ箱全体が横方向へ延びることになり、ゴミ箱の設置場所のスペースを広く必要とするという問題があった。
【０００５】
この発明は、このような従来技術に存在する問題点に着目してなされたものである。その目的とするところは、容器本体の上に別の収容体を積み重ねることにより容器本体と収容体の両者を組合わせて使用することができ、それらの設置スペースを節約することができる支持スタンドを備えた収容容器を提供することにある。
【０００６】
【課題を解決するための手段】
上記の目的を達成するために、請求項１に記載の発明の支持スタンドを備えた収容容器は、一対のほぼ四角枠状をなす脚部の両側部を各々ジョイント体を介装して連結部材で回動可能に連結するとともに、前記ジョイント体には一対の脚部が開脚した状態を保持する第１保持手段と、閉脚した状態を保持する第２保持手段とを備えた支持スタンドと、有底箱状をなす容器本体よりなり、その少なくとも一対の相対向する側壁に、開脚した状態の脚部の下端部を上方から係合可能な係合凹部を備え、その係合凹部に一対の脚部の下端部が係合することにより前記支持スタンドを容器本体上に支持可能に構成した収容容器とよりなるものである。
【０００７】
請求項２に記載の発明の支持スタンドを備えた収容容器は、一対のほぼ四角枠状をなす脚部の両側部を各々ジョイント体を介装して連結部材で回動可能に連結するとともに、前記ジョイント体には一対の脚部が開脚した状態を保持する第１保持手段と、閉脚した状態を保持する第２保持手段とを備えた支持スタンドと、有底箱状をなす容器本体よりなり、その少なくとも一対の相対向する側壁に、開脚した状態の脚部の上端部を下方から係止可能な係止凹部を備え、その係止凹部に一対の脚部が係止することにより容器本体を支持スタンド上に支持可能に構成した収容容器とよりなるものである。
【０００８】
請求項３に記載の発明の支持スタンドを備えた収容容器は、請求項１に記載の発明において、前記容器本体の少なくとも一対の相対向する側壁に、開脚した状態の脚部の上端部を下方から係止可能な係止凹部を備え、その係止凹部に一対の脚部が係止することにより容器本体を支持スタンド上に支持可能に構成したものである。
【０００９】
【発明の実施の形態】
以下、この発明の実施形態を、図面に基づいて詳細に説明する。
図１〜図３に示すように、収容容器１１を構成するポリプロピレン製の容器本体１２はほぼ細長四角板状に形成された底壁１３と、その底壁１３の周縁に沿って立設された相対向する一対の短側壁１４と、相対向する一対の長側壁１５とから有底細長四角箱状に構成されている。さらに、両短側壁１４及び両長側壁１５は上部側ほど僅かに拡がるテーパ形状に形成されている。また、各短側壁１４及び各長側壁１５の高さを変更することにより、容量の異なる収容容器１１が複数種類成形される。
【００１０】
図４、図５及び図８（ａ）に示すように、容器本体１２の両短側壁１４及び両長側壁１５の上端縁からは、外方に向かって延びるフランジ１６が突設されている。そのフランジ１６の上面には、両短側壁１４及び両長側壁１５の上端縁よりやや外方位置から上方へ延びる開口枠１７が突設されている。両短側壁１４上に位置する開口枠１７の中央には凸部１８がそれぞれ形成されている。
【００１１】
図３に示すように、一方の短側壁１４上に位置するフランジ１６の上面の両側には楕円柱状の係合突起１９がそれぞれ形成され、それらと開口枠１７との間に短側壁１４の幅方向へ延びる係合凹部２０が形成されている。他方の短側壁１４上に位置するフランジ１６の上面の両側には、一対の支持部２１が上方へそれぞれ突設され、その支持部２１間には軸体２２がそれぞれ架設されている。そして、それらと開口枠１７との間に短側壁１４の幅方向へ延びる係合凹部２０が形成されている。
【００１２】
図３及び図４に示すように、両短側壁１４上に位置するフランジ１６の下面において、それらの両側には突出部としての突出板２３がそれぞれ下方へ突設され、それらの突出板２３には下方へ開口する係止凹部２４がそれぞれ円弧状に凹設されている。
【００１３】
図３及び図８（ａ）に示すように、前記開口枠１７より内方に位置するフランジ１６上には、容器本体１２内に収容される図示されない収容袋を吊下げ保持する保持枠２５が装着されるようになっている。この保持枠２５は金属製の線材により、相対向する一対の長辺と相対向する一対の短辺とによりほぼ細長四角枠状に形成されている。両長辺の長さ方向への長さは、容器本体１２の長側壁１５の上端縁とほぼ同じに形成され、両短辺の長さ方向への長さは、容器本体１２の短側壁１４の上端縁とほぼ同じに形成されている。
【００１４】
両短辺の両端より若干内側位置からコの字状に折曲げられた掛止部２６が形成されている。そして、その掛止部２６に収容体としての収容袋に形成された一対の手提げ部を掛止し、さらに、両掛止部２６を両短側壁１４側のフランジ１６上に掛止させることにより、収容袋を保持枠２５に吊下げ保持した状態で容器本体１２内に収容することができるようになっている。また、このとき、開口枠１７に形成された凸部１８により保持枠２５が上方へ移動するのを防止するようになっている。
【００１５】
図１、図２及び図８（ａ）に示すように、収容容器１１の上面開口部を閉塞する蓋体２７は合成樹脂材料により細長四角板状に形成されている。図８（ａ）の破線に示すように、蓋体２７の裏面の一端側の両側部には外方へ開口する一対の嵌合凹部２８を備えた嵌合部２９がそれぞれ形成されている。そして、収容容器１１の一対の軸体２２に嵌合凹部２８をそれぞれ嵌合することにより、収容容器１１の上部に蓋体２７を回動可能に取付けるようになっている。
【００１６】
図２及び図６に示すように、支持スタンド３０は、一対のほぼ細長四角枠状をなす金属線材製の脚部３１の両側部を各々ジョイント体３２を介装して連結部材としての連結軸３３で回動可能に連結して構成されている。
【００１７】
前記各脚部３１は相対向する一対の長辺と相対向する一対の短辺とによりほぼ細長四角枠状に形成されている。各脚部３１の一方の短辺には、その両端より若干内側位置からコの字状に折曲げられた係合部としての折曲げ部３４がそれぞれ形成されている。折曲げ部３４の両側には、係止部３５が構成されている。また、両長辺の軸線方向のほぼ中央には図示されない貫通孔が形成され、連結軸３３が挿通可能になっている。
【００１８】
図１及び図７（ａ）に示すように、前記ジョイント体３２は合成樹脂材料によりほぼ円盤状に形成され、その両側部には正面ほぼ楕円状をなす規制部３６がジョイント体３２の両面側へ突出して形成されている。図７（ａ）の破線に示すように、ジョイント体３２の中心には取付孔３７が貫通形成されている。また、図７（ｂ）に示すように、ジョイント体３２の両面には、前記取付孔３７を中心に点対称に位置する一対の規制凸部４０が２箇所に形成され、それらは平面円弧状に突出形成されている。
【００１９】
そして、一対のジョイント体３２を配置し、それらの外面上に一方の脚部３１の両長辺側をそれぞれ配置し、内面上に他方の脚部３１の両長辺側をそれぞれ配置する。さらに、一方の脚部３１の貫通孔、ジョイント体３２の取付孔３７及び他方のジョイント体３２の貫通孔に連結軸３３を貫通し、一対の脚部３１の長辺をそれぞれジョイント体３２を介して連結し、連結軸３３を中心に回動可能に支持させて支持スタンド３０が構成されている。
【００２０】
両ジョイント体３２の外面側において、一方の規制部３６の内側面とそれに隣接する上側の規制凸部４０との間及び他方の規制部３６の内側面とそれに隣接する下側の規制凸部４０との間に、一方の脚部３１が開脚した状態を保持する第１保持手段が構成される。また、両ジョイント体３２の内面側において、他方の規制部３６の内側面とそれに隣接する上側の規制凸部４０との間及び一方の規制部３６の内側面とそれに隣接する下側の規制凸部４０との間に、他方の脚部３１が開脚した状態を保持する第１保持手段が構成される。
【００２１】
また、横方向に隣接する上下各一対の規制凸部４０の間に、一対の脚部３１が閉脚した状態を保持する第２保持手段が構成されている。また、前記規制部３６の内側面とそれに隣接する規制凸部４０間の間隔は前記脚部３１の長辺の外径よりそれぞれ若干大きめに形成されている。
【００２２】
そして、一対の脚部３１をそれぞれ横方向に隣接する上下各一対の規制凸部４０の間に位置させることにより、第２保持手段により両脚部３１が閉じた状態を保持するようになっている。また、一対の脚部３１の両端部がそれぞれ離れるように回動させて正面Ｘ字状に位置させると第１保持手段により両脚部３１が開いた状態を保持するようになっている。
【００２３】
図１及び図８（ａ）に示すように、両脚部３１を開いた状態において、各脚部３１の係止部３５が形成されていない側、つまり、支持スタンド３０の下端部の両短辺を収容容器１１の係合凹部２０に対してそれぞれ上方から係合するとともに、両短辺をフランジ１６上に支持させて、支持スタンド３０を収容容器１１上に支持させることができるようになっている。さらに、図８（ｂ）に示すように、同支持スタンド３０の折曲げ部３４を突出板２３間に位置させ、係止部３５に収容体としての別の収容容器１１の係止凹部２４を係止させることにより、支持スタンド３０の上部に別の収容容器１１を支持させることができるようになっている。
【００２４】
次に、支持スタンド３０を備えた収容容器１１の作用について説明する。
まず、保持枠２５の両掛止部２６に図示されない収容袋の一対の手提げ部を掛止し、さらに、両掛止部２６を収容容器１１の両短側壁１４側のフランジ１６上に掛止させて、収容袋を保持枠２５に吊下げ保持した状態で収容容器１１内に収容する。
【００２５】
図７の２点鎖線に示すように、閉じた状態の支持スタンド３０において、一対の脚部３１はそれぞれ横方向に隣接する上下各一対の規制凸部４０の間に位置し、第２保持手段により閉脚状態が保持されている。そのため、規制凸部４０により一対の脚部３１が不用意に開脚するのが防止される。
【００２６】
次に、図７（ａ）に示すように、両ジョイント体３２の両面において、一対の脚部３１を取付孔３７を中心に点対称に位置する一対の規制凸部４０の上面をそれぞれ乗り越えさせ、それらの両端部がそれぞれ離れるように回動させて正面Ｘ字状に位置させる。このとき、各規制凸部４０は平面形状が緩やかな円弧状に突出形成されているため、各脚部３１の回動作業が容易に行われる。そして、両脚部３１を第１保持手段により開脚状態を保持させる。すると、両脚部３１がその位置に保持されて、それ以上開くのが規制されるとともに、各脚部３１が閉じるのが規制される。
【００２７】
続いて、図８（ａ）に示すように、両脚部３１を開いた状態において、各脚部３１の係止部３５が形成されていない側、つまり、支持スタンド３０の下端部の両短辺を収容容器１１の係合凹部２０に対してそれぞれ上方から係合するとともに、両短辺をフランジ１６上に支持させて、支持スタンド３０を収容容器１１上に支持させる。この収容容器１１には係止凹部２４が省略されている。
【００２８】
すると、フランジ１６上の一対の係合突起１９及び一対の支持部２１により、支持スタンド３０の両短辺が外方へ移動するのが防止され、開口枠１７により内方へ移動するのが防止される。その結果、収容容器１１のフランジ１６上に支持スタンド３０が安定した状態で支持される。
【００２９】
このとき、図７（ｂ）に示すように、各規制部３６の内側面とそれに隣接する規制凸部４０間の間隔は脚部３１の長辺の外径より若干大きめに形成されている。そのため、各脚部３１は規制部３６の内側面とそれに隣接する規制凸部４０との間でその位置を微調整することができ、各脚部３１の下端部の両短辺の位置を両係合凹部２０に容易に対応させることができる。しかも、第１保持手段により両脚部３１の開脚状態が保持されているため、各脚部３１の位置の微調整を行っても各脚部３１が開くのが防止される。収容容器１１の一対の軸体２２に、蓋体２７の嵌合凹部２８をそれぞれ嵌合して蓋体２７を収容容器１１の上部に回動可能に取り付ける。
【００３０】
続いて、開脚状態の支持スタンド３０の高さより低い別の収容容器１１を用意し、上記と同様の方法で収容袋を収容する。図８（ｂ）に示すように、収容容器１１上に支持された支持スタンド３０の両短辺の係止部３５に、別の収容容器１１の両係止凹部２４を係止させるとともに、折曲げ部３４を一対の突出板２３間に係合させる。すると、折曲げ部３４が突出板２３間に挟み込まれる。そのため、例えば側方から外力が作用して、別の収容容器１１が横方向へ移動しようとしたとき、突出板２３の内面が折曲げ部３４に当接して、別の収容容器１１が横方向へ移動不能に支持スタンド３０の上部に支持される。
【００３１】
そして、このときも、各脚部３１は規制部３６の内側面とそれに隣接する規制凸部４０との間でその位置を微調整することができ、両係止部３５の位置を両係止凹部２４に容易に対応させることができる。さらに、別の収容容器１１の一対の軸体２２に、蓋体２７の嵌合凹部２８をそれぞれ嵌合して蓋体２７を収容容器１１の上部に回動可能に取り付ける。
【００３２】
その結果、図１に示すように、支持スタンド３０が収容容器１１の上部に支持され、その支持スタンド３０の上部に別の収容容器１１が支持される。このとき、支持スタンド３０は第１保持手段により、その両脚部３１が開脚しないように保持されている。そのため、支持スタンド３０上の別の収容容器１１は安定した状態で支持スタンド３０の上部に支持される。そして、収容容器１１、支持スタンド３０及び別の収容容器１１が組み立てられたものを横方向へ２つ並べて使用することができる。
【００３３】
さらに、例えば、下側に位置する収容容器１１に被収容物として燃えないゴミを収集し、上側に位置する収容容器１１に被収容物として燃えるゴミを収集することにより、両者を分別して収集することができる。
【００３４】
前記の実施形態によって発揮される効果について、以下に記載する。
・  収容容器１１の両短側壁１４上に位置するフランジ１６の上面には係合凹部２０がそれぞれ形成されている。そして、その両係合凹部２０に支持スタンド３０の両脚部３１の下端部の両短辺を係合することにより、収容容器１１の上部に支持スタンド３０を安定した状態で支持することができる。さらに、その支持スタンド３０に別の収容容器１１を支持させることができるため、１個の収容容器１１の設置に必要なスペースで上下方向に２つの収容容器１１を設置することができる。その結果、収容容器１１の設置スペースを節約することができる。
【００３５】
・  収容容器１１の両短側壁１４上に位置するフランジ１６の下面には係止凹部２４がそれぞれ形成されている。そして、収容容器１１の上部に支持された支持スタンド３０の両係止部３５に両係止凹部２４を係止させることにより、収容容器１１を支持スタンド３０の上部に安定した状態で支持させることができる。
【００３６】
・  保持枠２５の両掛止部２６に収容袋の一対の手提げ部を掛止し、両掛止部２６を収容容器１１の両短側壁１４側のフランジ１６上に掛止させることにより、収容袋を収容容器１１内に吊下げ保持した状態で移動不能に収容することができる。そのため、収容容器１１内がゴミ等で汚れるのを防止することができる。また、収容袋を回収することにより、収容容器１１内の被収容物を容易に回収することができる。
【００３７】
・  収容容器１１には蓋体２７がその一端側の軸体２２を中心に回動可能に取り付けられて、収容容器１１の上面開口部を開閉可能にしている。そのため、上面開口部を閉塞して、例えば収容容器１１内の異臭が発散されるのを防止することができる。また、蓋体２７はその嵌合凹部２８を収容容器１１の軸体２２に嵌合して取り付けられている。そのため、蓋体２７が不必要のときは容易に取り外すことができる。
【００３８】
・  両短側壁１４から突出するフランジ１６の下面には一対の突出板２３がそれぞれ突設されている。突出板２３間の間隔は支持スタンド３０の折曲げ部３４の軸線方向への長さとほぼ同じに形成されている。そのため、支持スタンド３０の両短辺の係止部３５に、別の収容容器１１の両係止凹部２４を係止させるとともに、折曲げ部３４を一対の突出板２３間に係合させたとき、折曲げ部３４が突出板２３間に挟み込まれ、突出板２３の内面が折曲げ部３４に当接して、別の収容容器１１を横方向へ移動不能にすることができ、別の収容容器１１を安定した状態で支持スタンド３０の上部に支持させることができる。
【００３９】
・  ジョイント体３２の両面には、一対の規制部３６とそれらにそれぞれ隣接する規制凸部４０とが形成され、それらにより第１保持手段が構成され、横方向に隣接する上下各一対の規制凸部４０により第２保持手段が構成されている。そのため、一対の脚部３１の開閉状態を保持する保持手段を、簡単な構成のジョイント体３２のみで構成することができ、部品点数を少なくして製造コストの低減を図ることができる。また、一対の脚部３１を連結軸３３により連結する際に、ジョイント体３２は脚部３１間に介装される。そのため、一対の脚部３１を連結軸３３により連結すると同時に保持手段を支持スタンド３０に設置することができ、その組立作業を簡単に行うことができる。
【００４０】
・  第１保持手段はジョイント体３２に突出形成された一対の規制部３６とそれらにそれぞれ隣接する規制凸部４０とにより構成され、第２保持手段は横方向に隣接する上下各一対の規制凸部４０により構成されている。そのため、第１保持手段及び第２保持手段を簡単に構成することができる。
【００４１】
・  各規制部３６の内側面とそれに隣接する規制凸部４０間の間隔は両脚部３１の長辺の外径より若干大きめに形成されている。そのため、各脚部３１は第１保持部に保持された状態でその位置を微調整することができ、支持スタンド３０の下端部を収容容器１１の係合凹部２０に係合させる作業及び支持スタンド３０の上端部を収容容器１１の係止凹部２４に係止させる作業を容易に行うことができる。
【００４２】
・  折曲げ部３４の軸線方向への長さは突出板２３間の間隔とほぼ同じに形成されている。そのため、支持スタンド３０の上部に別の収容容器１１を支持したとき、例えば側方から外力が作用して、別の収容容器１１が横方向へ移動しようとしても、突出板２３の内面が折曲げ部３４に当接して、折曲げ部３４により別の収容容器１１を横方向へ移動不能に支持することができる。
【００４３】
なお、本実施形態は、次のように変更して具体化することも可能である。
・  図９に示すように、実施形態の収容容器１１に支持スタンド３０の両短辺を係合させて、収容容器１１上に支持スタンド３０を支持させ、その支持スタンド３０の両折曲げ部３４に収容体としての収容袋３８の一対の手提げ部３９を掛止させても良い。このように構成した場合も、１個の収容容器１１に必要なスペースで上下方向に２つの収容体を設置することができる。その結果、収容容器１１及び収容袋３８の設置スペースを節約することができる。さらに、それらを複数個横方向へ並べても良い。このように構成した場合、さらに多数の被収容物を収容することができる。また、収容容器１１に係止凹部２４を形成しても良い。
【００４４】
・  支持スタンド３０の上部に支持された別の収容容器１１の係合突起１９を省略して係合凹部２０を省略しても良い。このように構成した場合も、別の収容容器１１の両係止凹部２４に支持スタンド３０の係止部３５を係止させることにより、収容容器１１上に支持された支持スタンド３０の上部に別の収容容器１１を支持させることができる。さらに、それらを複数個横方向へ並べても良い。このように構成した場合、さらに多数の被収容物を収容することができる。
【００４５】
・  下方に位置する収容容器１１に係止凹部２４を形成しても良い。このように構成した場合、上下両方に位置する収容容器１１に係合凹部２０及び係止凹部２４が形成されるため、組立時に上方又は下方に位置する収容容器１１を確認する必要がなく、組立作業の短時間化を図ることができる。さらに、それらを複数個横方向へ並べても良い。このように構成した場合、さらに多数の被収容物を収容することができる。
【００４６】
・  下方に位置する収容容器１１及び上方に位置する別の収容容器１１の少なくとも一方の蓋体２７を省略しても良い。
・  支持スタンド３０の各脚部３１の一対の短辺の軸線方向への長さをそれぞれ延長し、各脚部３１の一方の短辺に折曲げ部３４を２箇所に形成しても良い。このように構成した場合、１個の支持スタンド３０で２つの収容容器１１又は収容袋３８を支持することができる。さらに、２つの収容容器１１上に支持スタンド３０を支持させ、その支持スタンド３０に別の２つの収容容器１１又は２つの収容袋３８を支持させても良い。このように構成した場合、４種類の被収容物を分別して収容することができる。
【００４７】
・  下方に位置する収容容器１１の底壁１３の下面にキャスターを取り付けて、収容容器１１を移動可能に構成しても良い。
・  実施形態で支持スタンド３０の下側に配置された収容容器１１を、支持スタンド３０の上部に支持された収容容器１１と同じ大きさに変更しても良い。
【００４８】
・  収容容器１１の平面形状を正方形、五角形、六角形、八角形等に変更しても良い。
・  収容容器１１又は収容袋３８に被収容物として洗濯物、玩具、雑誌、医療廃棄物等を収容しても良い。
【００４９】
さらに、前記実施形態より把握できる技術的思想について以下に記載する。
（１）  前記収容容器の係合凹部に開脚した状態の支持スタンドの脚部の下端部を係合して収容容器上に支持スタンドを支持するとともに、有底箱状をなす容器本体の少なくとも一対の相対向する側壁に、開脚した状態の支持スタンドの脚部の上端部を下方から係止可能な係止凹部を備えた別の収容容器の係止凹部に、前記支持スタンドの一対の脚部を係止して別の収容容器を収容容器上に支持された支持スタンド上に支持させて構成した請求項１に記載の支持スタンドを備えた収容容器。
【００５０】
このように構成した場合、収容容器の上に別の収容容器を積み重ねることにより２つの収容容器を組合わせて使用することができ、それらの設置スペースを節約することができる。
【００５１】
（２）  前記収容容器の係合凹部に開脚した状態の支持スタンドの脚部の下端部を係合して収容容器上に支持スタンドを支持するとともに、開脚した状態の支持スタンドの脚部の上端部に収容袋を掛止して収容袋を収容容器上に支持された支持スタンド上に支持させて構成した請求項１に記載の支持スタンドを備えた収容容器。
【００５２】
このように構成した場合、収容容器の上に収容袋を設置することができ、それらの設置スペースを節約することができるとともに、多数の被収容物を収容することができる。
【００５３】
（３）  請求項３に記載の収容容器の上下一対と、それらの収容容器間に配設される支持スタンドとよりなり、一方の収容容器の係合凹部に開脚した状態の支持スタンドの脚部の下端部を係合して一方の収容容器上に支持スタンドを支持させ、その支持スタンドの脚部の上端部に他方の収容容器の係止凹部を係止して、他方の収容容器を一方の収容容器上に支持された支持スタンド上に支持させて構成した請求項３に記載の支持スタンドを備えた収容容器。
【００５４】
このように構成した場合、２つの収容容器を組合わせて使用することができ、それらの設置スペースを節約することができる。
（４）  請求項３に記載の収容容器と、支持スタンドと、有底箱状をなす容器本体の少なくとも一対の相対向する側壁に、開脚した状態の支持スタンドの脚部の上端部を下方から係止可能な係止凹部を備えた別の収容容器とよりなり、収容容器の係合凹部に開脚した状態の支持スタンドの脚部の下端部を係合して収容容器上に支持スタンドを支持させ、その支持スタンドの脚部の上端部に別の収容容器の係止凹部を係止して別の収容容器を収容容器上に支持された支持スタンド上に支持させて構成した請求項３に記載の支持スタンドを備えた収容容器。
【００５５】
このように構成した場合、２つの収容容器を組合わせて使用することができ、それらの設置スペースを節約することができる。
（５）  請求項３に記載の収容容器と、支持スタンドと、有底箱状をなす容器本体の少なくとも一対の相対向する側壁に、開脚した状態の支持スタンドの脚部の下端部を上方から係合可能な係合凹部を備えた別の収容容器とよりなり、別の収容容器の係合凹部に開脚した状態の支持スタンドの脚部の下端部を係合して別の収容容器上に支持スタンドを支持させ、その支持スタンドの脚部の上端部に収容容器の係止凹部を係止して別の収容容器上に支持された支持スタンド上に収容容器を支持させて構成した請求項３に記載の支持スタンドを備えた収容容器。
【００５６】
このように構成した場合、２つの収容容器を組合わせて使用することができ、それらの設置スペースを節約することができる。
（６）  前記（１）〜（５）のいずれかに記載の支持スタンドを備えた収容容器を横方向に複数個並べて構成した支持スタンドを備えた収容容器。
【００５７】
このように構成した場合、さらに多数の被収容物を収容することができる。
【００５８】
【発明の効果】
以上詳述したように、この発明によれば、次のような効果を奏する。
請求項１に記載の発明の支持スタンドを備えた収容容器によれば、容器本体の上に別の収容体を積み重ねることにより容器本体と収容体の両者を組合わせて使用することができ、それらの設置スペースを節約することができる。
【００５９】
請求項２に記載の発明の支持スタンドを備えた収容容器によれば、支持スタンドの上部に容器本体を安定した状態で支持させることができる。
請求項３に記載の発明の支持スタンドを備えた収容容器によれば、請求項１に記載の発明の効果に加えて、容器本体の上に支持スタンドを介して別の容器本体を配置することができ、別の容器本体の設置スペースを節約することができる。
【図面の簡単な説明】
【図１】  実施形態の支持スタンドを備えた収容容器を示す斜視図。
【図２】  実施形態の収容容器、支持スタンド及び蓋体を示す分解斜視図。
【図３】  実施形態の収容容器を示す斜視図。
【図４】  実施形態の収容容器を示す正面図。
【図５】  実施形態の収容容器を示す平面図。
【図６】  実施形態の支持スタンドを示す正面図。
【図７】  （ａ）はジョイント体上の脚部を示す部分正面図、（ｂ）は図７（ａ）の７−７線断面図。
【図８】  （ａ）は収容容器の係合凹部に支持スタンドを係合した状態を示す部分断面図、（ｂ）は支持スタンドの係止部に収容容器の係止凹部を係止した状態を示す部分側面図。
【図９】  支持スタンドを備えた収容容器の使用方法の別例を示す斜視図。
【符号の説明】
１１…収容容器、１２…容器本体、１４…側壁としての短側壁、２０…係合凹部、２４…係止凹部、３０…支持スタンド、３１…脚部、３２…ジョイント体、３３…連結部材としての連結軸、３６…第１保持手段を構成する規制部、４０…第１保持手段及び第２保持手段を構成する規制凸部。
【図１】
0004256034.tif 000002
【図２】
0004256034.tif 000003
【図３】
0004256034.tif 000004
【図４】
0004256034.tif 000005
【図５】
0004256034.tif 000006
【図６】
0004256034.tif 000007
【図７】
0004256034.tif 000008
【図８】
0004256034.tif 000009
【図９】
0004256034.tif 000010